(57)【要約】【課題】設計上の制約が多いため、安定した防水機能を実現することが困難である。【解決手段】携帯端末は、板金と樹脂とを含んでなり、複数の開口部を有する筐体部材と、上記複数の開口部のうちの少なくとも第１開口部に配置するよう挿入されて固定された回路基板と、上記第１開口部を塞ぐように貼り付けられたシート状部材とを有する。【選択図】      図２
2014192560.tif 000002
【特許請求の範囲】
【請求項１】
板金と樹脂とを含んでなり、複数の開口部を有する筐体部材と、前記複数の開口部のうちの少なくとも第１開口部に配置するよう挿入されて固定された回路基板と、前記第１開口部を塞ぐように貼り付けられたシート状部材とを有する、携帯端末。
【請求項２】
前記シート状部材は接着テープを備え、前記接着テープにより前記第１開口部を封止している、請求項１に記載の携帯端末。
【請求項３】
前記筐体部材は、前記第１開口部に隣接する第２開口部をさらに有し、
前記回路基板は、前記第２開口部から挿入され、前記第１開口部に配置するよう固定されている、請求項１に記載の携帯端末。
【請求項４】
前記第２開口部に電池が装着され、前記電池の電極が前記回路基板の電極に電気的に接続される、請求項３に記載の携帯端末。
【請求項５】
前記シート状部材はフレキシブル基板である、請求項１乃至請求項４のいずれか一項に記載の携帯端末。
【請求項６】
前記シート状部材にはコイル状アンテナが形成されている、請求項５に記載の携帯端末。
【請求項７】
前記シート状部材はフレキシブルシートである、請求項１乃至請求項４のいずれか一項に記載の携帯端末。
【請求項８】
前記シート状部材は開口部を有しており、前記シート状部材の前記開口部はさらに別のシート状部材が貼り付けられて塞がれている、請求項５乃至請求項７のいずれか一項に記載の携帯端末。
【請求項９】
前記筐体部材は第３開口部を有しており、
前記第３開口部を塞ぐように別のシート状部材が貼り付けられている、請求項１乃至請求項８のいずれか一項に記載の携帯端末。
【請求項１０】
板金と樹脂とを含んでなり、一主表面に第１開口部を有する筐体部材と、前記第１開口部に位置するよう固定された回路基板と、前記第１開口部を塞ぐように貼り付けられたシート状部材とを有する携帯端末の組立方法であって、
前記回路基板を第２開口部を用いて前記第１開口部に配置し固定した後に、前記筐体部材の前記第１開口部を塞ぐように前記シート状部材を接着テープを介して貼り付ける、携帯端末の組立方法。
【発明の詳細な説明】
【技術分野】
【０００１】
本発明は、携帯端末及び携帯端末の組立方法に関し、特に、防水構造を備えた携帯端末及び携帯端末の組立方法に関する。
【背景技術】
【０００２】
携帯端末が広く用いられるにつれて、その活用場面も広がっており、その防水性能の向上も求められている。背景技術による携帯端末の防水構造について、図面を参照しながら説明する。図７は、関連する防水携帯端末の概略部品構成を示した分解斜視図である。
【０００３】
図７において、上筐体２０１と下筐体２０２はパッキン２０３を挟み、防水携帯端末筐体の主要骨格を形成している。また液晶等の表示デバイス２０４、回路基板２０５、電池２０６、通信用アンテナ２０７を筐体の内部に組み込んでいる。透明スクリーン２０８及び電池カバー２０９を、防水機能を有した適切な形状で上筐体２０１及び下筐体２０２に組み込んで、機器の外装を構成している。また、カメラ２１０等のデバイス部品の実装のために開いた下筐体２０２の開口部は、防水両面テープ２１１を備えたカメラスクリーン２１２にて止水されている。
【０００４】
図７ではさらにパッキン２０３を挟んだ状態で、ネジ２１３及び相対する嵌合爪２１４にて上筐体２０１と下筐体２０２とを固定している。さらに、防水携帯端末を設計する上での、一般的な設計課題について記述する。図７において、上筐体２０１に着目する。機器の使用状態を考慮し、適切な剛性を確保することは、不用意な落下等の外力に耐える機器の信頼性を向上する重要な設計課題である。そのため、上筐体２０１は金属製の板２１５を一体成形したプラスチック成形部品としている。
【０００５】
次に、図７において、内部構成部品の配置に着目する。回路基板２０５、電池２０６、通信用アンテナ２０７が同図に示すような配列で配置されていることは一般的な構成である。重量物である電池２０６を機器の中心に置き、重心を機器の中央に配置している。通信アンテナ２０７は音声通話時に人体が電波にさらされたときの比吸収率（ＳＡＲ：Specific Absorption Rate）を考慮して、機器の側面に配置している。これらの、設計制約を受けながら、安定した防水機能を実現し、デザイン的にも優れた防水携帯端末を設計することが課題である。
【先行技術文献】
【特許文献】
【０００６】
【特許文献１】特開２０１２−９５１３２号公報
【発明の概要】
【発明が解決しようとする課題】
【０００７】
携帯端末の防水性能は、より高いほうが好ましい。しかしながら、図７に示される関連する携帯端末では、上筐体２０１と下筐体２０２とでパッキン２０３を挟む設計となっている。そのため、適切な寸法で構成を実現させなければ、機器の防水機能が損なわれる可能性がある。それぞれの部品寸法ばらつきに加え、パッキン２０３を潰した反力を受けた上筐体２０１や下筐体２０２の変形を抑えることは重要な設計課題である。装置内部の実装部品、装置サイズ、装置デザインのそれぞれの制約を受けるため、上筐体２０１と下筐体２０２をパッキン２０３の全周に渡る確実な固定を実現することは、防水携帯端末を設計する際の大きな課題となっている。
【０００８】
また、図７に示される関連する携帯端末では、上筐体２０１と下筐体２０２とでパッキン２０３を挟む設計となっており、上筐体２０１と下筐体２０２との間に、回路基板２０５、通信アンテナ２０７やカメラ２１０等のデバイス部品を挟む配置となっている。このため、携帯端末の組立作業が複雑になり、防水機能維持のための確実な組立作業を慎重に行なう必要がある。
【０００９】
一方、特許文献１では上部筐体と下部筐体の間にゴムパッキング等を挟み込まない形態の、携帯電子機器の防水構造が提案されている。特許文献１では、携帯電子機器の筐体の上面開口を通して内部実装部品を挿入して実装し、その後にシート状部材で上面開口を覆蓋することにより、部品点数低減による組立工数の低減と携帯電子機器の防水性能向上とを両立させている。
【００１０】
特許文献１で提案された携帯電子機器では、防水性能を向上させることが可能であるが、さらなる防水性能の向上が望まれている。また、特許文献１で提案された携帯電子機器とは異なる内部構造による、組立作業の円滑化と防水性能の向上との両立が望まれる。
【００１１】
このように、関連する携帯端末においては、設計上の制約が多いため、安定した防水機能を実現することが困難である、という問題があった。
【００１２】
本発明の目的は、上述した課題である、携帯端末においては、設計上の制約が多いため、安定した防水機能を実現することが困難である、という課題を解決する携帯端末及び携帯端末の組立方法を提供することにある。
【課題を解決するための手段】
【００１３】
前記目的を達成するため、本発明に係る携帯端末は、板金と樹脂とを含んでなり、複数の開口部を有する筐体部材と、上記複数の開口部のうちの少なくとも第１開口部に配置するよう挿入されて固定された回路基板と、上記第１開口部を塞ぐように貼り付けられたシート状部材とを有する。
【００１４】
本発明に係る携帯端末の組立方法は、板金と樹脂とを含んでなり、一主表面に第１開口部を有する筐体部材と、上記第１開口部に位置するよう固定された回路基板と、上記第１開口部を塞ぐように貼り付けられたシート状部材とを有する携帯端末の組立方法であって、
上記回路基板を第２開口部を用いて上記第１開口部に配置し固定した後に、上記筐体部材の上記第１開口部を塞ぐように上記シート状部材を接着テープを介して貼り付ける。
【発明の効果】
【００１５】
本発明の携帯端末及び携帯端末の組立方法によれば、設計上の制約が多い場合であっても安定した防水機能を実現することができる。
【図面の簡単な説明】
【００１６】
【図１】本発明の実施形態による携帯端末の外観を示す斜視図である。
【図２】本発明の第１実施形態による携帯端末の分解斜視図である。
【図３】（ａ）は図１のＡ−Ａ線に沿った断面図であり、（ｂ）は（ａ）の破線で示した三箇所の詳細な構造を示す部分拡大断面図である。
【図４】本発明の第１実施形態による携帯端末の組立方法を説明するための斜視図である。
【図５】本発明の第２実施形態による携帯端末の分解斜視図である。
【図６】本発明の第３実施形態による携帯端末の分解斜視図である。
【図７】関連する携帯端末の分解斜視図である。
【発明を実施するための形態】
【００１７】
本発明の好ましい実施形態について、図面を参照しながら詳細に説明する。本発明は、その内部に開口部を有する携帯端末について、防水性能をさらに向上させ、また携帯端末の組立作業を円滑化する機構を備えたものである。単一部品にて筐体の主要骨格を形成している携帯端末の防水構造において、内部実装部品を組み込む開口部の形成とその止水方法を特徴とするものである。
【００１８】
〔第１実施形態〕
初めに、本発明の第１実施形態による携帯端末、及び携帯端末の組立方法について、説明する。図１は、本発明の実施形態による携帯端末の外観を示す斜視図である。図２は、本発明の第１実施形態による携帯端末の分解斜視図である。図３（ａ）は図１のＡ−Ａ線に沿った断面図であり、図３（ｂ）は図３（ａ）の破線で示した三箇所の詳細な構造を示す部分拡大断面図である。図３（ａ）の破線で示した三箇所は、第１開口部１０８から筐体１０１の一端までの領域、第１開口部１０８からフレーム１２０を介して第２開口部１０９までの領域、第２開口部１０９からフレーム１２１及び第３開口部１１０を介して筐体１０１の他端までの領域に、それぞれ対応している。図４は、本発明の第１実施形態による携帯端末の組立方法を説明するための斜視図である。
【００１９】
本実施形態による携帯端末は図１に示すように、筐体１０１と、筐体１０１に装着されたカバー部材の一例としての電池カバー１１８とを有する。筐体１０１は、単一の板金一体成形プラスチックで製造されている。さらに、より詳細には、図２に分解斜視図で示すように携帯端末は、板金と樹脂とを含んでなり、一主表面に第１開口部１０８を有する筐体部材の一例としての筐体１０１と、この筐体１０１の第１開口部１０８に位置するよう挿入されて固定された回路基板１０５と、筐体１０１の第１開口部１０８を塞ぐように貼り付けられたシート状部材の一例としてのシート１１２と、筐体の上記一主表面側に装着されたカバー部材の一例としての電池カバー１１８を少なくとも有する。
【００２０】
筐体１０１は、プラスチック素材で形成されたフレーム１２０及びフレーム１２１と金属製の板である板金１２２とを一体成形したプラスチック樹脂部品である。筐体１０１の上記一主表面には、上記第１開口部１０８が形成されており、さらに第１開口部１０８にフレーム１２０を介して隣接する第２開口部１０９、及び第２開口部１０９にフレーム１２１を介して隣接する第３開口部１１０を有している。筐体１０１の第１開口部１０８、第２開口部１０９及び第３開口部１１０には、回路基板１０５、電池１０６及び通信アンテナ１０７がそれぞれ組み込まれる。
【００２１】
筐体１０１の第１開口部１０８、第２開口部１０９及び第３開口部１１０は、プラスチック素材のフレーム１２０及びフレーム１２１で区切られているが、フレーム１２０及びフレーム１２１の装置内側で一部若しくは全域で接続可能な構成としている。これにより、開口部に組み込まれた状態で、回路基板１０５、電池１０６及び通信アンテナ１０７を電気的に接続することができる。
【００２２】
筐体１０１の第１開口部１０８には、略四角形状のリブ１０１ａが突出しており、カメラ１１３が装着される。さらに、第１開口部１０８周辺の筐体１０１の側面には、開口部１２５が形成されている。この開口部１２５は、適切なカバー１２６で止水される。
【００２３】
第１開口部１０８に位置するよう挿入されて固定される回路基板１０５は、図２や図４に斜視図で示すように、一端には電池１０６と接続される電極１２４が設けられており、上記一端と対向する他端には外部機器との接続に使用するコネクタ１２３が設けられている。回路基板１０５は、切り欠き部１０５ａを有している。さらに、第１開口部１０８に回路基板１０５が固定された状態で、コネクタ１２３が上記筐体１０１側面の開口部１２５に位置するよう設計されている。コネクタ１２３は機器の操作者がケーブルを頻繁に挿抜することを考慮すれば、極力隙間を制限した筐体１０１の開口部１２５に収納されていることが望ましい。
【００２４】
第１開口部１０８は、防水両面テープ１１１を備えたシート１１２を貼ることで止水する。シート１１２は、カメラ１１３とオーバーラップする位置に開口部１１２ａを有している。シート１１２に設けた開口部１１２ａを通して、カメラ１１３は画像を撮影する。シート１１２の開口部１１２ａは、防水両面テープ１１４を備えたカメラスクリーン１１５を貼ることで止水する。
【００２５】
筐体１０１の第２開口部１０９には、電池１０６が装着される。電池１０６が第２開口部１０９に装着されると、第１開口部１０８に固定された回路基板１０５の電極１２４と電気的に接続されるように配置している。第２開口部１０９は、機器の背面全体を覆う電池カバー１１８に設けられたパッキン１１９によって適切に防水機能が実現される。パッキン１１９は、図３（ａ）や図３（ｂ）に示すように、電池１０６が装着される第２開口部１０９の周囲のフレーム１２０及びフレーム１２１と電池カバー１１８との間に挟まれる。電池カバー１１８を筐体１０１に装着すると、電池１０６が装着された第２開口部１０９はパッキン１１９により全周に渡って確実な固定が実現される。
【００２６】
筐体１０１の第３開口部１１０には、通信アンテナ１０７が装着され、内部に組み込まれる。さらに、第３開口部１１０は、防水両面テープ１１６を備えたシート１１７にて止水する。シート１１２とシート１１７は、可撓性を有するフレキシブルシートとすることができる。
【００２７】
筐体１０１の他の主表面側には、液晶表示素子などの表示デバイス１０２が配置されている。筐体１０１の他の主表面側には、表示デバイス１０２及び透明スクリーン１０３が組み込まれ、防水両面テープ１０４を用いて固定並びに止水がされている。
【００２８】
表示デバイス１０２、回路基板１０５、電池１０６、通信アンテナ１０７はコネクタやフレキシブル印刷回路（ＦＰＣ）配線によって、適切に電気的接続が確保される。ただし、本発明の特徴と直接関係するものではないので、これらの説明は省略する。
【００２９】
次に、本実施形態による携帯端末の組立方法について説明する。筐体１０１を、単一の板金一体成形プラスチックで製造する。この製造に用いるプラスチック成形金型構造を説明する。図３（ｂ）に部分拡大断面図で示すように、フレーム１２０とフレーム１２１を形成するために、アンダーカット範囲Ｂを矢印Ｂ’方向に、またアンダーカット範囲Ｃを矢印Ｃ’方向にスライドする金型構造を用いる。これにより、フレーム１２０、フレーム１２１と板金１２２とを一体成形したプラスチック樹脂部品からなる筐体１０１を製造することができる。
【００３０】
こうして形成された筐体１０１の他の主表面側には、表示デバイス１０２及び透明スクリーン１０３が組み込まれ、防水両面テープ１０４を用いて固定並びに止水される。筐体１０１側面の開口部１２５に、必要に応じてカバー１２６を装着する。
【００３１】
次に、筐体１０１の第１開口部１０８のリブ１０１ａにカメラ１１３を装着する。さらに、第１開口部１０８に回路基板１０５を挿入して固定する。この挿入及び固定は、回路基板１０５を図４の矢印Ｄから矢印Ｅに推移するように移動させ、電極１２４をフレーム１２０の内側に納め、さらにコネクタ１２３を開口部１２５に差し込むことにより行なわれる。言い換えると、筐体１０１に回路基板１０５を組み込む際に、回路基板１０５の電極１２４を一度、筐体１０１内部のフレーム１２０内側に納め、さらに他端のコネクタ１２３を筐体１０１の開口部１２５に納めるように移動させる。このようにして、回路基板１０５の電極１２４は、フレーム１２０の内側に配置され、第２開口部１０９に装着される電池１０６の電極と接触し、電気的な接続を確立できる。図４の矢印Ｄから矢印Ｅに推移するような移動を実現するため、筐体１０１の各部は回路基板１０５の組み込み時の移動範囲を妨害しない寸法関係とするように設計される。
【００３２】
回路基板１０５を第１開口部１０８に固定した後で、第１開口部１０８に防水両面テープ１１１を備えたシート１１２を貼り、シート１１２の開口部１１２ａに防水両面テープ１１４を備えたカメラスクリーン１１５を貼る。貼り付け順序はこれに限られるものではなく、シート１１２の開口部１１２ａに防水両面テープ１１４を備えたカメラスクリーン１１５を貼った後で、第１開口部１０８に防水両面テープ１１１を備えたシート１１２を貼ってもよい。
【００３３】
さらに、筐体１０１の第２開口部１０９に電池１０６を装着する。電池１０６が第２開口部１０９に装着されると、第１開口部１０８に固定された回路基板１０５の電極１２４と電気的に接続する。
【００３４】
さらに、筐体１０１の第３開口部１１０に通信アンテナ１０７を装着し、内部に組み込む。さらに、第３開口部１１０に、防水両面テープ１１６を備えたシート１１７を貼る。
【００３５】
このように筐体１０１の第１開口部１０８、第２開口部１０９及び第３開口部１１０に、回路基板１０５、電池１０６及び通信アンテナ１０７をそれぞれ組み込んだ後に、機器の背面全体を覆う電池カバー１１８を装着する。このようにして、本実施形態の携帯端末の組立てが完了する。
【００３６】
本実施形態の携帯端末によれば、筐体１０１の第１開口部１０８は防水両面テープ１１１を備えたシート１１２により止水され、筐体１０１の第３開口部１１０は防水両面テープ１１６を備えたシート１１７にて止水されている。これにより携帯端末の防水性能を向上させることができる。さらにこのような止水構造により、筐体１０１と電池カバー１１８との間から内部に水分が浸入した場合でも、シート１１２及びシート１１７による止水機能により、回路基板１０５やカメラ１１３、通信アンテナ１１０への水分到達を抑制できる。よって、図７に示した関連する携帯端末と比較して、回路基板１０５やカメラ１１３、通信アンテナ１１０への水分浸入が皆無になる。また、図７に示した関連する携帯端末の組立方法と比較して、携帯端末の組立作業が簡単になる。簡単な組立作業によって、十分な防水機能を有する携帯端末を製造することができる。
【００３７】
さらに、本実施形態の携帯端末によれば、回路基板１０５の挿入及び固定を、図４の矢印Ｄから矢印Ｅに推移するような移動を実現する寸法関係で設計している。このような設計によれば、筐体１０１の第１開口部１０８の間口をより小さくしつつ、第１開口部１０８に位置するよう回路基板１０５を挿入及び固定することができる。第１開口部１０８の間口を小さくすることにより、水分の浸入リスクはなくなり、携帯端末の防水性能を向上させることができる。パッキンの反力による筐体変形が発生する可能性がある背景技術のものと比べて、防水性能が安定する。
【００３８】
さらに、本実施形態の携帯端末によれば、シート１１２は、カメラ１１３とオーバーラップする位置に開口部１１２ａを有しており、シート１１２の開口部１１２ａに、防水両面テープ１１４を備えたカメラスクリーン１１５を貼ることで止水している。シート１１２が開口部１１２ａを有することにより、第１開口部１０８を止水するシート１１２はカメラ１１３による撮影を妨げない。これにより、カメラ１１３の撮影性能を維持しつつ、防水性能を向上させることができる。すなわち、カメラ１１３の撮影性能と携帯端末の防水性能とを両立することができる。
【００３９】
このように、本実施形態による携帯端末及び携帯端末の組立方法によれば、設計上の制約が多い場合であっても、安定した防水機能を実現することができる。
【００４０】
〔第２実施形態〕
次に、本発明の第２実施形態による携帯端末、及び携帯端末の組立方法について、説明する。図５は、本発明の第２実施形態による携帯端末の分解斜視図である。第１実施形態と同じ又は同様な内容については、詳細な説明を省略することとする。
【００４１】
本実施形態による携帯端末は、第１実施形態による携帯端末と同様に、筐体５０１と、筐体５０１に装着されたカバー部材の一例としての電池カバー５１８とを有する。筐体５０１は、単一の板金一体成形プラスチックで製造されている。さらに、より詳細には、図５に分解斜視図で示すように携帯端末は、板金と樹脂とを含んでなり、一主表面に第１開口部５０８を有する筐体部材の一例としての筐体５０１と、この筐体５０１の第１開口部５０８に位置するよう挿入されて固定された回路基板５０５と、筐体５０１の第１開口部５０８を塞ぐように貼り付けられたシート状部材の一例としてのフレキシブル基板５１２と、筐体の上記一主表面側に装着されたカバー部材の一例としての電池カバー５１８などを有する。
【００４２】
筐体５０１は、第１実施形態と同様に、プラスチック素材で形成されたフレームと金属製の板である板金とを一体成形したプラスチック樹脂部品である。筐体５０１の上記一主表面には、上記第１開口部５０８が形成されており、さらに第１開口部５０８にフレームを介して隣接する第２開口部５０９、及び第２開口部５０９にフレームを介して隣接する第３開口部５１０を有している。筐体５０１の第１開口部５０８、第２開口部５０９及び第３開口部５１０には、回路基板５０５、電池５０６及び通信アンテナ５０７がそれぞれ組み込まれる。
【００４３】
第１実施形態と同様に、筐体５０１の第１開口部５０８、第２開口部５０９及び第３開口部５１０は、プラスチック素材のフレームで区切られているが、フレームの装置内側で一部若しくは全域で接続可能に構成されている。これにより、開口部に組み込まれた状態で、回路基板５０５、電池５０６及び通信アンテナ５０７を電気的に接続することができる。
【００４４】
筐体５０１の第１開口部５０８には、略四角形状のリブ５０１ａが突出しており、カメラ５１３が装着される。さらに、第１開口部５０８周辺の筐体５０１の側面には、開口部５１９が形成されている。この開口部５１９は、カバー５２０で止水される。
【００４５】
第１開口部５０８に位置するよう挿入されて固定される回路基板５０５は、図５の分解斜視図に示すように、一端には電池５０６と接続される電極が設けられており、上記一端と対向する他端には外部機器との接続に使用するコネクタが設けられている。この配置については、第１実施形態と同様である。回路基板５０５は、切り欠き部５０５ａを有している。さらに、第１開口部５０８に回路基板５０５が固定された状態で、回路基板５０５のコネクタが上記筐体５０１側面の開口部５１９に位置するよう設計されている。
【００４６】
第１開口部５０８は、防水両面テープ５１１を備えたフレキシブル基板５１２を貼ることで止水する。携帯端末に非接触通信機能を搭載する場合にはフレキシブル基板にアンテナを形成することが多い。本実施形態では、このようなアンテナ機能を有するフレキシブル基板５１２を用いている。フレキシブル基板５１２の周辺部にはスパイラル状のアンテナ素子が形成されている。さらに、フレキシブル基板５１２は、カメラ５１３とオーバーラップする位置に開口部５１２ａを有している。フレキシブル基板５１２に設けた開口部５１２ａを通して、カメラ５１３は画像を撮影する。フレキシブル基板５１２の開口部５１２ａは、防水両面テープ５１４を備えたカメラスクリーン５１５を貼ることで止水する。このフレキシブル基板５１２は可撓性を有し、その内部或いは表面に電極、端子、配線、素子や回路などが形成されたもので、フレキシブル印刷回路（ＦＰＣ）基板やフレキシブル回路基板などと称されるものである。
【００４７】
筐体５０１の第２開口部５０９には、第１実施形態と同様に、電池５０６が装着される。電池５０６が第２開口部５０９に装着されたときに、第１開口部５０８に固定された回路基板５０５の電極と電気的に接続されるように構成している。第２開口部５０９は、機器の背面全体を覆う電池カバー５１８に設けられたパッキンによって適切に防水機能が実現される。
【００４８】
筐体５０１の第３開口部５１０には、通信アンテナ５０７が装着される。通信アンテナ５０７は、樹脂部品にアンテナ回路を形成する工法を用いれば、アンテナ回路を形成した樹脂部品とすることも可能である。本実施形態では、パッキン５１６を筐体５０１と通信アンテナ５０７の間で挟み込み、通信アンテナ５０７をネジ５１７で固定している。これにより、第３開口部５１０を止水している。第３開口部５１０の止水には、アンテナ機能を必要としなければ、単純な樹脂成形品、或いは金属板を用いてもよい。このように内部実装部品を組み込むための開口部は適切な素材及び形状に変更することが可能である。
【００４９】
筐体５０１の他の主表面側には、第１実施形態と同様に、液晶表示素子などの表示デバイス５０２が配置されている。筐体５０１の他の主表面側には、表示デバイス５０２及び透明スクリーン５０３が組み込まれ、防水両面テープ５０４を用いて固定並びに止水がされている。
【００５０】
第１実施形態と同様に、表示デバイス５０２、回路基板５０５、電池５０６、通信アンテナ５０７はコネクタやフレキシブル印刷回路（ＦＰＣ）配線によって、適切に電気的接続が確保される。
【００５１】
次に、本実施形態による携帯端末の組立方法について説明する。第１実施形態と同様に、筐体５０１を単一の板金一体成形プラスチックで製造する。こうして形成された筐体５０１の他の主表面側には、第１実施形態と同様に、表示デバイス５０２及び透明スクリーン５０３が組み込まれ、防水両面テープ５０４を用いて固定並びに止水される。筐体５０１側面の開口部５１９に、必要に応じてカバー５２０を装着する。
【００５２】
筐体５０１の第１開口部５０８のリブ５０１ａにカメラ５１３を装着する。さらに、第１開口部５０８に回路基板５０５を挿入して固定する。第１実施形態と同様であり、回路基板５０５を図４の矢印Ｄから矢印Ｅに推移するように移動させ、電極をフレームの内側に納め、さらにコネクタを開口部５１９に差し込むことにより行なわれる。
【００５３】
回路基板５０５を第１開口部５０８に固定した後で、第１開口部５０８に防水両面テープ５１１を備えたフレキシブル基板５１２を貼る。フレキシブル基板５１２の開口部５１２ａに防水両面テープ５１４を備えたカメラスクリーン５１５を貼る。貼り付け順序はこれに限られるものではなく、フレキシブル基板５１２の開口部５１２ａに防水両面テープ５１４を備えたカメラスクリーン５１５を貼った後で、第１開口部５０８に防水両面テープ５１１を備えたフレキシブル基板５１２を貼ってもよい。
【００５４】
さらに、筐体５０１の第２開口部５０９に電池５０６を装着する。電池５０６が第２開口部５０９に装着されると、第１開口部５０８に固定された回路基板５０５の電極と電気的に接続される。
【００５５】
さらに、筐体５０１の第３開口部５１０に通信アンテナ５０７を装着する。通信アンテナ５０７を、アンテナを形成した樹脂部品とし、筐体５０１と通信アンテナ５０７の間にパッキン５１６を挟み込み、通信アンテナ５０７を筐体５０１にネジ５１７で固定している。これにより、筐体５０１の第３開口部５１０は止水される。
【００５６】
このように筐体５０１の第１開口部５０８、第２開口部５０９及び第３開口部５１０に、回路基板５０５、電池５０６及び通信アンテナ５０７をそれぞれ組み込んだ後に、機器の背面全体を覆う電池カバー５１８を装着する。このようにして、本実施形態の携帯端末の組立てが完了する。
【００５７】
本実施形態によれば、筐体５０１の第１開口部５０８は防水両面テープ５１１を備えたフレキシブル基板５１２により止水され、筐体５０１の第３開口部５１０はパッキン５１６を挟み込んでネジ５１７で固定された通信アンテナ５０７にて止水されている。これにより、第１実施形態と同様に、携帯端末の防水性能を向上させることができる。さらにこのような止水構造により、仮に筐体５０１と電池カバー５１８との間から内部に水分が浸入した場合でも、フレキシブル基板５１２による止水機能により、回路基板５０５やカメラ５１３への水分到達を抑制できる。通信アンテナ５０７を、アンテナを形成した樹脂部品とすることにより、アンテナへの水分到達を抑制できる。よって、図７に示した関連する携帯端末と比較して、回路基板５０５やカメラ５１３、通信アンテナ５０７への水分浸入が皆無になる。図７に示した関連する携帯端末の組立方法と比較して、携帯端末の組立作業が簡単になる。簡単な組立作業によって、十分な防水機能を有する携帯端末を製造することができる。
【００５８】
さらに、本実施形態の携帯端末によれば、回路基板５０５の挿入及び固定を第１実施形態と同様に、図４の矢印Ｄから矢印Ｅに推移するような移動を実現する寸法関係で設計している。このような設計によれば、筐体５０１の第１開口部５０８の間口をより小さくしつつ、第１開口部５０８に位置するよう回路基板５０５を挿入及び固定することができる。第１開口部５０８の間口を小さくすることにより、水分の浸入リスクはなくなり、携帯端末の防水性能を向上させることができる。背景技術のパッキンを用いたものと比べて、防水性能が安定する。
【００５９】
さらに、本実施形態の携帯端末によれば、フレキシブル基板５１２は、カメラ５１３とオーバーラップする位置に開口部５１２ａを有しており、フレキシブル基板５１２の開口部５１２ａに、防水両面テープ５１４を備えたカメラスクリーン５１５を貼ることで止水している。フレキシブル基板５１２が開口部５１２ａを有することにより、第１開口部５０８を止水するフレキシブル基板５１２はカメラ５１３による撮影を妨げない。これにより、カメラ５１３の撮影性能を維持しつつ、防水性能を向上させることができる。すなわち、カメラ５１３の撮影性能と携帯端末の防水性能とを両立することができる。
【００６０】
さらに、本実施形態の携帯端末によれば、アンテナ機能を有するフレキシブル基板５１２を用いている。これにより、携帯端末に非接触通信機能を搭載することができる。その際、フレキシブル基板５１２の周辺部にはスパイラル状のアンテナ素子を配置し、フレキシブル基板５１２の中心部に上記開口部５１２ａを配置することにすれば、アンテナ素子はカメラ５１３の撮影を妨げず、開口部５１２ａはアンテナ素子の配置を妨げない。これにより、カメラ５１３の撮影性能を維持しつつ、防水性能を向上させることができる。またカメラ５１３の撮影性能を維持しつつ、携帯端末に非接触通信機能を搭載することができる。また、携帯端末に非接触通信機能を搭載しつつ、防水性能を向上させることができる。すなわち、カメラ５１３の撮影性能と、携帯端末の非接触通信機能と、携帯端末の防水性能とがお互いにトレードオフの関係になることなく、両立及び共存させることができる。
【００６１】
〔第３実施形態〕
次に、本発明の第３実施形態による携帯端末、及び携帯端末の組立方法について、説明する。図６は、本発明の第３実施形態による携帯端末の分解斜視図である。第１実施形態や第２実施形態と同じ或いは同様な内容については、詳細な説明を省略することとする。本実施形態は、第１実施形態及び第２実施形態から、筐体の開口部の範囲及び数量を変更した場合の一例を示す。
【００６２】
本実施形態による携帯端末は、第１実施形態や第２実施形態による携帯端末と同様に、筐体６０１と、筐体６０１に装着されたカバー部材の一例としての電池カバー６１８とを有する。筐体６０１は、単一の板金一体成形プラスチックで製造されている。さらに、より詳細には、図６に分解斜視図で示すように携帯端末は、板金と樹脂とを含んでなり、一主表面に第１開口部６０８を有する筐体部材の一例としての筐体６０１と、この筐体６０１の第１開口部６０８に位置するよう挿入されて固定された回路基板６０９と、筐体６０１の第１開口部６０８を塞ぐように貼り付けられたシート状部材の一例としてのシート６１４と、筐体の上記一主表面側に装着されたカバー部材の一例としての電池カバー６１８を少なくとも有する。
【００６３】
筐体６０１は、第１実施形態及び第２実施形態と同様に、プラスチック素材で形成されたフレームと金属製の板である板金とを一体成形したプラスチック樹脂部品である。筐体６０１の上記一主表面には、上記第１開口部６０８が形成されており、さらに第１開口部６０８にフレームを介して隣接する第２開口部６１０を有している。筐体６０１の第１開口部６０８に位置するように回路基板６０９が組み込まれ、第２開口部６１０には電池６１５が組み込まれる。
【００６４】
筐体６０１の第１開口部６０８及び第２開口部６１０は、プラスチック素材のフレームで区切られているが、フレームの装置内側で一部若しくは全域で接続できる構成としている。これにより、開口部に組み込まれた状態で、回路基板６０９及び電池６１５を電気的に接続することができる。
【００６５】
筐体６０１の第１開口部６０８に隣接して、略四角形状のリブ６０１ａが突出しており、カメラ６０５が表示デバイス６０２側より組み込まれる。さらに、第１開口部６０８周辺の筐体６０１の側面には、開口部が形成され、開口部はカバー６１９で止水される。
【００６６】
第１開口部６０８に位置するよう挿入されて固定される回路基板６０９は、図６の分解斜視図に示すように、一端には電池６１５と接続される電極６１２が設けられており、上記一端と対向する他端には外部機器との接続に使用するコネクタ６１１が設けられている。この配置については、第１実施形態及び第２実施形態と同様である。回路基板６０９は、切り欠き部６０９ａを有している。さらに、第１開口部６０８に回路基板６０９が固定された状態で、回路基板６０９のコネクタ６１１が上記筐体６０１側面の開口部に位置するよう設計される。
【００６７】
第１開口部６０８は回路基板６０９の配線処理等に活用される。そして、防水両面テープ６１３を備えたシート６１４を貼ることにより、第１実施形態と同様に止水される。筐体６０１の開口部６０１ｂは、防水両面テープ６１６を備えたカメラスクリーン６１７を貼ることで止水する。シート６１４は、可撓性を有するフレキシブルシートとすることができる。
【００６８】
筐体６０１の第２開口部６１０には、第１実施形態及び第２実施形態と同様に、電池６１５が装着される。電池６１５が第２開口部６１０に装着されたときに、第１開口部６０８に位置するよう固定された回路基板６０９の電極６１２と電池６１５の電極とが接触するように、構成されている。第２開口部６１０は、機器の背面全体を覆う電池カバー６１８に設けられたパッキンによって適切に防水機能が実現される。
【００６９】
筐体６０１の他の主表面側には、第１実施形態及び第２実施形態と同様に、液晶表示素子などの表示デバイス６０２が配置されている。筐体６０１の他の主表面側には、表示デバイス６０２及び透明スクリーン６０３が組み込まれ、防水両面テープ６０４を用いて固定並びに止水がされている。本実施形態では、カメラ６０５及び通信アンテナ６０６が表示デバイス６０２側より組み込まれる構成としている。
【００７０】
第１実施形態及び第２実施形態と同様に、表示デバイス６０２、回路基板６０９、電池６１５、通信アンテナ６０６はコネクタやフレキシブル印刷回路配線によって、適切に電気的接続が確保される。
【００７１】
次に、本実施形態による携帯端末の組立方法について説明する。筐体６０１を単一の板金一体成形プラスチックで製造する。さらに、第１開口部６０８に回路基板６０９が位置するようを挿入して固定する。本実施形態では、第１実施形態及び第２実施形態とは異なり、第１開口部６０８は回路基板６０９を組み込むために必要な面積に至らないため、電池組み込み用の第２開口部６１０から組み込み、所定の位置に納めるように移動させている。すなわち、回路基板６０９を第２開口部６１０から挿入し、筐体６０１内部を平行移動させる。そして、最終的に第１開口部６０８まで移動させて、第１開口部６０８に位置するよう回路基板６０９を固定する。このような移動を実現するため、筐体６０１の各部は回路基板６０９の組み込み時の移動範囲を妨害しない寸法関係とするように設計される。
【００７２】
さらに、第１開口部６０８に防水両面テープ６１３を備えたシート６１４を貼る。筐体６０１の開口部６０１ｂに、防水両面テープ６１６を備えたカメラスクリーン６１７を貼る。
【００７３】
さらに、筐体６０１の第２開口部６１０に電池６１５を装着する。電池６１５が第２開口部６１０に装着されると、第１開口部６０８の位置に固定された回路基板６０９の電極６１２と電気的に接続される。このように筐体６０１の第１開口部６０８の位置に回路基板６０９を組み込み、第２開口部６１０に電池６１５を組み込んだ後に、機器の背面全体を覆う電池カバー６１８を装着する。
【００７４】
筐体６０１の他主表面側に、カメラ６０５及び通信アンテナ６０６を組み込む。さらに、第１実施形態及び第２実施形態と同様に、表示デバイス６０２及び透明スクリーン６０３が組み込まれ、防水両面テープ６０４を用いて固定並びに止水される。筐体６０１側面の開口部に、必要に応じてカバー６１９を装着する。このようにして、本実施形態の携帯端末の組立てが完了する。
【００７５】
本実施形態によれば、筐体６０１の第１開口部６０８は防水両面テープ６１３を備えたシート６１４により止水されている。これにより、第１実施形態と同様に、携帯端末の防水性能を向上させることができる。さらにこのような止水構造により、仮に筐体６０１と電池カバー６１８との間から内部に水分が浸入した場合でも、シート６１４による止水機能により、回路基板６０９への水分到達を抑制できる。よって、図７に示した関連する携帯端末と比較して、回路基板６０９への水分浸入が皆無になる。図７に示した関連する携帯端末の組立方法と比較して、携帯端末の組立作業が簡単になる。簡単な組立作業によって、十分な防水機能を有する携帯端末を製造することができる。
【００７６】
さらに、本実施形態の携帯端末によれば、筐体６０１に一体成形されている板金６０７はカメラ６０５と通信アンテナ６０６を組み込む部分が削除されている。その結果、筐体６０１の樹脂範囲が拡大し、開口部６０８の面積が減少している。また第１実施形態と比較して、筐体６０１の一主表面には通信アンテナを組み込むための開口部がなくなっている。
【００７７】
さらに、本実施形態の携帯端末によれば、回路基板６０８の挿入及び固定を、電池６１５が装着される第２開口部６１０から行なっている。第１実施形態及び第２実施形態と同一サイズの電池を用い、同一サイズの第２開口部を有する携帯端末であっても、回路基板６０９の挿入及び固定に第１開口部６０８の間口サイズは影響しない。よって、本実施形態による携帯端末によれば、第１開口部６０８を第１実施形態や第２実施形態よりも小さくすることができる。このような設計によれば、筐体６０１の第１開口部６０８の間口をより小さくしつつ、第１開口部６０８に位置するよう回路基板６０９を挿入及び固定することができる。第１開口部６０８の間口を小さくすることにより、第１実施形態や第２実施形態と比較して携帯端末の防水性能をより一層向上させることができる。背景技術のパッキンを用いたものと比べて、防水性能が安定する。
【００７８】
以上、本発明の好ましい実施形態について説明したが、本発明はこれに限定されるものではない。例えば、本発明は上述した実施形態のような筐体を板金と樹脂との一体成形工法に限られず、接着、溶着、ネジ固定等の保持工法で製造した携帯端末にも適用できる。特許請求の範囲に記載した発明の範囲内で、種々の変形が可能であり、それらも本発明の範囲に含まれることはいうまでもない。例えば、筐体の開口部の数、位置及び面積は、防水携帯端末の構造により調整することも可能である。
【００７９】
上記の実施形態の一部又は全部は、以下の付記のようにも記載されうるが、以下には限られない。
（付記１）板金と樹脂とを含んでなり、一主表面に第１開口部を有する筐体部材と、前記第１開口部に位置するよう固定された回路基板と、前記第１開口部を塞ぐように貼り付けられたシート状部材とを有する携帯端末の組立方法であって、
前記回路基板を前記第１開口部に配置し固定した後に、前記筐体部材の前記第１開口部を塞ぐように前記シート状部材を接着テープを介して貼り付ける、携帯端末の組立方法。
（付記２）前記回路基板を前記筐体部材の前記第１開口部から挿入して、前記筐体部材の前記第１開口部に位置するよう固定する、付記１に記載の携帯端末の組立方法。
（付記３）板金と樹脂とを含んでなり、一主表面に第１開口部を有する筐体部材と、前記第１開口部に位置するよう固定された回路基板と、前記第１開口部を塞ぐように貼り付けられたシート状部材とを有する携帯端末の組立方法であって、
前記回路基板を第２開口部を用いて前記第１開口部に配置し固定した後に、前記筐体部材の前記第１開口部を塞ぐように前記シート状部材を接着テープを介して貼り付ける、携帯端末の組立方法。
（付記４）前記筐体部材の前記第２開口部に電池を装着して、前記電池の電極と前記回路基板の電極とを電気的に接続する、付記３に記載の携帯端末の組立方法。
（付記５）板金と樹脂とを含んでなり、複数の開口部を有する筐体部材と、前記複数の開口部のうちの少なくとも第１開口部に配置するよう挿入されて固定された回路基板と、前記第１開口部を塞ぐように貼り付けられたシート状部材とを有する、携帯端末。
（付記６）前記シート状部材は接着テープを備え、前記接着テープにより前記第１開口部を封止している、付記５に記載の携帯端末。
（付記７）前記筐体部材は、前記第１開口部に隣接する第２開口部をさらに有し、
前記回路基板は、前記第２開口部から挿入され、前記第１開口部に配置するよう固定されている、付記５に記載の携帯端末。
（付記８）前記第２開口部に電池が装着され、前記電池の電極が前記回路基板の電極に電気的に接続される、付記７に記載の携帯端末。
（付記９）前記シート状部材はフレキシブル基板である、付記５乃至付記８のいずれか一つに記載の携帯端末。
（付記１０）前記シート状部材にはコイル状アンテナが形成されている、付記９に記載の携帯端末。
（付記１１）前記シート状部材はフレキシブルシートである、付記５乃至付記８のいずれか一つに記載の携帯端末。
（付記１２）前記シート状部材は開口部を有しており、前記シート状部材の前記開口部はさらに別のシート状部材が貼り付けられて塞がれている、付記５乃至付記１１のいずれか一つに記載の携帯端末。
（付記１３）前記筐体部材は第３開口部を有しており、
前記第３開口部を塞ぐように別のシート状部材が貼り付けられている、付記５乃至付記１２のいずれか一つに記載の携帯端末。
（付記１４）前記筐体部材の前記第３開口部には、アンテナ回路を形成した樹脂部品が装着されている、付記１３に記載の携帯端末。
【符号の説明】
【００８０】
１０１、５０１、６０１    筐体
１０１ａ、５０１ａ、６０１ａ    リブ
１０２、５０２、６０２    表示デバイス
１０３、５０３、６０３    透明スクリーン
１０４、１１１、１１４、１１６、５０４、５１１、５１４、５１６、６０４、６１３、６１６    防水両面テープ
１０５、５０５、６０９    回路基板
１０５ａ、５０５ａ、６０９ａ    切り欠き部
１０６、５０６、６１５    電池
１０７、５０７、６０６    通信アンテナ
１０８、１０９、１１０、５０８、５０９、５１０、６０８、６１０    開口部
１１２、１１７、６１４    シート
１１３、５１３、６０５    カメラ
１１５、５１５、６１７    カメラスクリーン
１１８、５１８、６１８    電池カバー
１１９、５１６    パッキン
１２０、１２１    フレーム
１２２、６０７    板金
１２３、６１１    コネクタ
１２４、６１２    電極
１２５、５１９    開口部
１２６、５２０、６１９    カバー
５１２    フレキシブル基板
５１２ａ、６０１ｂ    開口部
５１７    ネジ
【図１】
2014192560.tif 000003
【図２】
2014192560.tif 000004
【図３】
2014192560.tif 000005
【図４】
2014192560.tif 000006
【図５】
2014192560.tif 000007
【図６】
2014192560.tif 000008
【図７】
2014192560.tif 000009